(57)【要約】【課題】所望の輝度分布を有しかつ放熱の問題が起こりにくいバックライトを備える表示装置を提供する。【解決手段】矩形の画面１６０と、長尺状の基板２１１、２１２と、基板２１１、２１２上にそれぞれの長手方向に複数ずつ配列された発光素子であるＬＥＤ２２０と、を備え、画面１６０に垂直な方向から見て、基板２１１の第１端２１１ａと基板２１２の第１端２１２ａとは、画面１６０の向い合う２辺１６１、１６２の中心線１６３と辺１６１との間に位置し、基板２１１の第２端２１１ｂと基板２１２の第２端２１２ｂとは、中心線１６３と辺１６２との間に位置し、基板２１１の第１端２１１ａから辺１６１までの距離Ａは、基板２１１の第２端２１１ｂから辺１６２までの距離Ｂよりも短く、第２基板２１２の第２端２１２ｂから第２辺１６２までの距離Ａは、第２基板２１２の第１端２１２ａから第１辺１６１までの距離Ｂよりも短い。【選択図】図７
2015213001.tif 000002
【特許請求の範囲】
【請求項１】
矩形の画面と、
長尺状の第１基板及び第２基板と、
前記第１基板上及び前記第２基板上にそれぞれの長手方向に複数ずつ配列された発光素子と、を備え、
前記画面に垂直な方向から見て、
前記第１基板の第１端と前記第２基板の第１端とは、前記画面の向い合う２つの辺の中心線と前記２つの辺の一方である第１辺との間に位置し、
前記第１基板の第２端と前記第２基板の第２端とは、前記中心線と前記２つの辺の他方である第２辺との間に位置し、
前記第１基板の前記第１端から前記第１辺までの距離は、前記第１基板の前記第２端から前記第２辺までの距離よりも短く、
前記第２基板の前記第２端から前記第２辺までの距離は、前記第２基板の前記第１端から前記第１辺までの距離よりも短い、
表示装置。
【請求項２】
前記第１基板及び前記第２基板のそれぞれの長手方向は、前記２つの辺と直交する方向から傾いている、
請求項１に記載の表示装置。
【請求項３】
前記第１基板の前記第１端と前記第２基板の前記第２端とは、前記２つの辺と直交する１つの直線上に位置する、
請求項２に記載の表示装置。
【請求項４】
各々が前記第１基板及び前記第２基板からなる複数の基板対を備える、
請求項１〜３のいずれか１項に記載の表示装置。
【請求項５】
前記第１基板及び前記第２基板は、前記画面の対角線の交点を対称点とする点対称形状に配置される
請求項１〜４のいずれか１項に記載の表示装置。
【請求項６】
前記複数の発光素子は、前記第１基板上及び前記第２基板上に定間隔で配列され、
前記第１基板上の何れの発光素子と前記第２基板上の何れの発光素子との間の間隔も、前記定間隔と等しいか又はより大きい、
請求項１〜５のいずれか１項に記載の表示装置。
【発明の詳細な説明】
【技術分野】
【０００１】
本発明は、表示装置に関する。
【背景技術】
【０００２】
表示装置の一例である液晶ディスプレイは、一般的に、液晶パネル、光源（バックライト）、液晶パネルの各構成を制御する制御回路、液晶パネルおよび制御回路等に電力を供給する電源回路等を備えて構成されている。
【０００３】
光源は、例えば、複数のＬＥＤ（Ｌｉｇｈｔ  Ｅｍｉｔｔｉｎｇ  Ｄｉｏｄｅ、発光ダイオード）を用いて構成されている。当該複数のＬＥＤは、例えば、長尺の板状部材で構成されたＬＥＤ基板（又は、単に基板と称する）上に長手方向に１列に並べて配置され、支持体に固定されている（例えば、特許文献１参照）。以下では、前記基板に前記複数のＬＥＤを配置してなるモジュールを、ＬＥＤバーと称する。
【先行技術文献】
【特許文献】
【０００４】
【特許文献１】特開２０１１−３４９５６号公報
【特許文献２】特開２０１１−４９１４９号公報
【発明の概要】
【発明が解決しようとする課題】
【０００５】
液晶ディスプレイでは、バックライトの望ましい照明特性、及び放熱性を確保しながら、部品コストを削減することが求められる。これらの要求は相互に関連している。例えば、部品コストを削減するために、ＬＥＤ基板の材質をアルミから樹脂に変更すると、放熱性が低下する。
【０００６】
バックライトの望ましい照明特性として、画面の中央の輝度が周辺の輝度よりも高い輝度分布が必要とされることがある。そのような輝度分布を得るために、例えば、特許文献１の表示装置では、１本のＬＥＤバーの中央付近のＬＥＤの配置間隔を狭めてより多数のＬＥＤを配置することが考えられる。しかしながら、ＬＥＤの配置間隔を狭めることで、放熱に支障が生じる可能性がある。放熱の問題は、特に、ＬＥＤ基板に廉価な樹脂材料を用いる場合に生じ易い。
【０００７】
本発明は上述の課題を解決するためになされたものであり、画面の中央の輝度が周辺の輝度よりも高い輝度分布を有し、かつ放熱の問題が起こりにくいバックライトを備える表示装置を提供することを目的とする。
【課題を解決するための手段】
【０００８】
上記目的を達成するために、本発明の一態様に係る液晶表示装置は、矩形の画面と、長尺状の第１基板及び第２基板と、前記第１基板上及び前記第２基板上にそれぞれの長手方向に複数ずつ配列された発光素子と、を備え、前記画面に垂直な方向から見て、前記第１基板の第１端と前記第２基板の第１端とは、前記画面の向い合う２つの辺の中心線と前記２つの辺の一方である第１辺との間に位置し、前記第１基板の第２端と前記第２基板の第２端とは、前記中心線と前記２つの辺の他方である第２辺との間に位置し、前記第１基板の前記第１端から前記第１辺までの距離は、前記第１基板の前記第２端から前記第２辺までの距離よりも短く、前記第２基板の前記第２端から前記第２辺までの距離は、前記第２基板の前記第１端から前記第１辺までの距離よりも短い。
【０００９】
このような構成によれば、前記第１基板及び前記第２基板は、前記画面の中央付近で、前記２つの辺と平行な方向に重なり合う。そこで、前記第１基板及び前記第２基板を、画面の中央付近で前記方向にオフセットさせて前記方向に間隔を設けて配置する。その結果、前記画面の中央の輝度が周辺の輝度よりも高い輝度分布を有し、かつ放熱の問題が起こりにくいバックライトを備える表示装置を提供することができる。
【００１０】
また、前記第１基板及び前記第２基板のそれぞれの長手方向は、前記２つの辺と直交する方向から傾いていてもよい。
【００１１】
また、前記第１基板の前記第１端と前記第２基板の前記第２端とは、前記２つの辺と直交する１つの直線上に位置してもよい。
【００１２】
このような構成によれば、前記第１基板及び前記第２基板を、前記２つの辺と直交する直線の両側にオフセットさせて配置することによって、前述した効果を得ることができる。
【００１３】
また、各々が前記第１基板及び前記第２基板からなる複数の基板対を備えてもよい。
【００１４】
このような構成によれば、例えば前記画面が大きい場合に、前記複数の基板対を用いて前述と同様の効果を得ることができる。
【００１５】
また、前記第１基板及び前記第２基板は、前記画面の対角線の交点を対称点とする点対称形状に配置されてもよい。
【００１６】
このような構成によれば、前記画面内での対称性が高い良好な輝度分布が得られる。
【００１７】
また、前記複数の発光素子は、前記第１基板上及び前記第２基板上に定間隔で配列され、前記第１基板上の何れの発光素子と前記第２基板上の何れの発光素子との間の間隔も、前記定間隔と等しいか又はより大きくてもよい。
【００１８】
このような構成によれば、異なる基板上の発光素子の間隔が各基板上に配列される発光素子の間隔と等しいか又はより大きくなるので、より確実に良好な放熱性を得ることができる。
【発明の効果】
【００１９】
本発明の一態様に係る表示装置によれば、画面の中央の輝度が周辺の輝度よりも高い輝度分布を有し、かつ放熱の問題が起こりにくいバックライトを備える表示装置が得られる。
【図面の簡単な説明】
【００２０】
【図１】実施の形態１に係る液晶ディスプレイの構成の一例を示す分解斜視図である。
【図２】実施の形態１の比較例に係るＬＥＤバーの配置の一例を示す正面図である。
【図３】実施の形態１の比較例に係る輝度分布の一例を示す図である。
【図４】実施の形態１に係るＬＥＤの配置間隔とリアフレームの温度との関係の一例を示すグラフである。
【図５】実施の形態１に係るＬＥＤの配置間隔と基板の温度との関係の一例を示すグラフである。
【図６】実施の形態１に係るＬＥＤバーの配置の一例を示す正面図である。
【図７】実施の形態１に係るＬＥＤバーの配置の一例を示す正面図である。
【図８】実施の形態１に係る輝度分布の一例を示す図である。
【図９】実施の形態２の比較例に係るＬＥＤバーの配置の一例を示す正面図である。
【図１０】実施の形態２に係るＬＥＤバーの配置の一例を示す正面図である。
【図１１】実施の形態２の比較例に係るＬＥＤバーの配置の一例を示す正面図である。
【図１２】実施の形態２に係るＬＥＤバーの配置の一例を示す正面図である。
【図１３】実施の形態３の比較例に係るＬＥＤバーの配置の一例を示す正面図である。
【図１４】実施の形態３に係るＬＥＤバーの配置の一例を示す正面図である。
【発明を実施するための形態】
【００２１】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置及び接続形態などは、一例であり、本発明を限定する主旨ではない。また、以下の実施の形態における構成要素のうち、独立請求項に記載されていない構成要素については、任意の構成要素として説明される。
【００２２】
（実施の形態１）
実施の形態１に係る表示装置について、図１〜９を基に、液晶ディスプレイの例で説明する。
【００２３】
図１は、液晶ディスプレイ１０の構成の一例を示す分解斜視図である。
【００２４】
液晶ディスプレイ１０は、図１に示すように、フロントキャビネット１１、ベゼル１２、オープンセル１３、セルガイド１４、光学部材１５、反射部材１６、リアフレーム１７、および、光源２０を備えている。
【００２５】
フロントキャビネット１１およびリアフレーム１７は、本実施の形態では、液晶ディスプレイ１０の筐体である。フロントキャビネット１１およびリアフレーム１７は、一例として、樹脂製であってもよい。
【００２６】
ベゼル１２は、オープンセル１３を支持する部材である。
【００２７】
オープンセル１３は、液晶パネルと、ＣＯＦ（Ｃｈｉｐ  ｏｎ  Ｆｉｌｍ、Ｃｈｉｐ  ｏｎ  Ｆｌｅｘｉｂｌｅ）と、ＰＣＢ（Ｐｒｉｎｔｅｄ  Ｃｉｒｃｕｉｔ  Ｂｏａｒｄ、プリント基板）とを備えている。ＣＯＦは、液晶パネルを駆動するＩＣ（Ｉｎｔｅｇｒａｔｅｄ  Ｃｉｒｃｕｉｔ）が搭載されたフレキシブルケーブルである。ＩＣは、ＰＣＢを介して入力された制御回路（図示せず）からの信号に基づいて、液晶パネルを駆動するための駆動信号を生成する。
【００２８】
セルガイド１４は、オープンセル１３の位置ずれを防止するための部材である。
【００２９】
光学部材１５は、光源２０からの光の輝度等を調整するための部材であり、光学シートおよび拡散板で構成されている。
【００３０】
反射部材１６は、光源２０からの光を反射させるシート状の部材である。
【００３１】
光源２０は、長尺状の矩形の基板２１上に長手方向に複数の発光素子２２を配置してなるＬＥＤバーであり、液晶ディスプレイ１０のバックライトを構成している。発光素子２２は、例えばＬＥＤで構成される。光源２０は、例えば図示しない放熱テープを介して、反射部材１６に取り付けられている。図１中の点線は、従来の１本のＬＥＤバーの配置位置を示す直線である。以下では、このような従来のＬＥＤバーの配置位置を、軸と称する。本実施の形態では、従来の１本のＬＥＤバーに代えて、当該軸の両側に２本のＬＥＤバーが配置される。
【００３２】
以下では、本実施の形態に係るＬＥＤバーの配置について、従来の配置との比較に基づいて詳細に説明し、そのような配置によって得られる効果について説明する。
【００３３】
図２は、比較例に係るＬＥＤバー２００の、画面１６０に垂直な方向から見た配置の一例を示す正面図であり、ＬＥＤバー２００の配置を、液晶ディスプレイ１０の画面１６０への垂直投影によって表している。図２に示されるように、画面１６０は、一例として横長の矩形であり、具体的には、図１に示されるオープンセル１３を構成する液晶パネルの表示面であってもよい。
【００３４】
図２の比較例では、１本のＬＥＤバー２００が、画面１６０の上辺及び下辺と略平行な軸上に配置されている。ＬＥＤバー２００は、長尺の基板２１０上に複数のＬＥＤ２２０を配置して構成されている。中央以外に位置するＬＥＤ２２０は、一定の間隔Ｌ０で配置され、かつ中央のＬＥＤ２２０は、間隔Ｌ０よりも狭い間隔Ｌ１で配置されている。
【００３５】
図３は、図２に示す配置のＬＥＤバー２００によって得られる、画面内の輝度分布の一例を示す図である。比較例のＬＥＤバー２００によれば、画面の中央の輝度が周辺の輝度よりも高い、所望の輝度分布が得られる。
【００３６】
しかしながら、課題の欄で指摘したとおり、このような輝度分布を得るために、ＬＥＤバーの中央付近のＬＥＤの配置間隔を狭めることは、放熱の問題を引き起こす懸念がある。そこで、本発明者は、ＬＥＤの配置間隔に応じて、リアフレーム１７及び基板２１０のそれぞれがどのような温度上昇を示すかを、シミュレーションにより確認した。
【００３７】
図４は、ＬＥＤの配置間隔に対するリアフレーム１７の温度上昇を、ＬＥＤの複数の駆動電流について示すグラフである。
【００３８】
図５は、ＬＥＤの配置間隔に対する基板２１０の温度上昇を、ＬＥＤの複数の駆動電流について示すグラフである。
【００３９】
図４、５から、リアフレーム１７及び基板２１０ともに、ＬＥＤの配置間隔が狭いほど大きな温度上昇が生じている。この結果から、放熱の問題を起こりにくくするためには、ＬＥＤの配置間隔を広くとることが有効と考えられる。
【００４０】
そこで、実施例では、比較例の１本のＬＥＤバーに代えて、２本のＬＥＤバーを、比較例のＬＥＤバーが配置される位置の上下にオフセットさせて配置する。
【００４１】
図６は、実施例に係るＬＥＤバー２０１、２０２の、画面１６０に垂直な方向から見た配置の一例を示す正面図であり、図２での表記法と同様、ＬＥＤバー２０１、２０２の配置を、液晶ディスプレイ１０の画面１６０への垂直投影によって表している。
【００４２】
図６の実施例では、ＬＥＤバー２０１は、長尺の基板２１１上に複数のＬＥＤ２２１を一定の間隔Ｌ０で配置して構成されている。ＬＥＤバー２０２は、長尺の基板２１２上に複数のＬＥＤ２２２を一定の間隔Ｌ０で配置して構成されている。
【００４３】
ここで、ＬＥＤバー２０１、２０２は、光源２０に対応し、基板２１１、２１２は、基板２１に対応し、ＬＥＤ２２１、２２２は、発光素子２２に対応する。
【００４４】
ＬＥＤバー２０１、２０２は、次の条件を満たすように配置される。
【００４５】
基板２１１と基板２１２とは、略同じ長さを有する。
【００４６】
基板２１１の長手方向の第１端２１１ａと、基板２１２の長手方向の第１端２１２ａとは、画面１６０の向い合う第１辺１６１と第２辺１６２との中心線１６３と、第１辺１６１との間に位置している。ここで、中心線１６３とは、第１辺１６１と第２辺１６２との何れからも等しい距離にある直線である。
【００４７】
また、基板２１１の長手方向の第２端２１１ｂと、基板２１２の長手方向の第２端２１２ｂとは、中心線１６３と第２辺１６２との間に位置している。
【００４８】
また、基板２１１の第１端２１１ａから第１辺１６１までの距離Ａは、基板２１１の第２端２１１ｂから第２辺１６２までの距離Ｂよりも短い。
【００４９】
また、基板２１２の第２端２１２ｂから第２辺１６２までの距離Ａは、基板２１２の第１端２１２ａから第１辺１６１までの距離Ｂよりも短い。
【００５０】
ＬＥＤバー２０１、２０２をこのように配置するとき、図６に見られるように、ＬＥＤバー２０１、２０２は、画面１６０の中央付近で、第１辺１６１及び第２辺１６２と平行な方向に重なり合う。つまり、図面の上下方向に重なり合う。そこで、ＬＥＤバー２０１、２０２を、比較例のＬＥＤバー２００が位置する軸の上下にオフセットさせて配置することで、従来のＬＥＤバー２００によって配置されるＬＥＤと同数のＬＥＤを、画面１６０の中央付近で上下に間隔Ｌ２を設けて配置する。ここで、間隔Ｌ２は間隔Ｌ０と等しいかより大きい。
【００５１】
その結果、画面１６０の中央の輝度が周辺の輝度よりも高い輝度分布を有し、かつ放熱の問題が起こりにくいバックライトを備える液晶ディスプレイ１０を提供することができる。
【００５２】
図７は、他の実施例に係るＬＥＤバー２０１、２０２の配置の一例を示す正面図であり、図２での表記法と同様、ＬＥＤバー２０１、２０２の配置を、液晶ディスプレイ１０の画面１６０への垂直投影によって表している。
【００５３】
図７の実施例では、図６の実施例と比べて、基板２１１、２１２のそれぞれの長手方向が、第１辺１６１及び第２辺１６２と直交する方向から角度θ傾いている点が異なる。基板２１１の第１端２１１ａと基板２１２の第２端２１２ｂとは、第１辺１６１及び第２辺１６２と直交する１つの直線上に位置してもよい。
【００５４】
図８は、図７に示す配置のＬＥＤバー２０１、２０２によって得られる、画面内の輝度分布の一例を示す図である。実施例のＬＥＤバー２０１、２０２によれば、比較例のＬＥＤバー２００と同様に、画面の中央の輝度が周辺の輝度よりも高い、所望の輝度分布が得られる。
【００５５】
（実施の形態２）
実施の形態２に係る表示装置について、図９〜１２を基に説明する。
【００５６】
実施の形態２に係る表示装置は、複数のＬＥＤバーを備える比較例と対比されるものであり、実施の形態１で説明したＬＥＤバー２０１、２０２の対を、比較例の前記複数のＬＥＤバーの各々に対応して備えている。
【００５７】
図９は、比較例に係る２本のＬＥＤバー２００の、画面１６０に垂直な方向から見た配置の一例を示す正面図であり、ＬＥＤバー２００の配置を、液晶ディスプレイ１０の画面１６０への垂直投影によって表している。
【００５８】
図１０は、実施例に係るＬＥＤバー２０１、２０２の、画面１６０に垂直な方向から見た配置の一例を示す正面図であり、ＬＥＤバー２０１、２０２の配置を、液晶ディスプレイ１０の画面１６０への垂直投影によって表している。
【００５９】
図１０の実施例では、ＬＥＤバー２０１、２０２の対を、比較例の各々のＬＥＤバー２００の位置に対応して配置する。ＬＥＤバー２０１、２０２は、図６で説明した条件と同様の条件を満たすように配置される。
【００６０】
図１１は、比較例に係る３本のＬＥＤバー２００の、画面１６０に垂直な方向から見た配置の一例を示す正面図であり、ＬＥＤバー２００の配置を、液晶ディスプレイ１０の画面１６０への垂直投影によって表している。
【００６１】
図１２は、実施例に係るＬＥＤバー２０１、２０２の、画面１６０に垂直な方向から見た配置の一例を示す正面図であり、ＬＥＤバー２０１、２０２の配置を、液晶ディスプレイ１０の画面１６０への垂直投影によって表している。
【００６２】
図１２の実施例では、ＬＥＤバー２０１、２０２の対を、比較例の各々のＬＥＤバー２００の位置に対応して配置する。ＬＥＤバー２０１、２０２は、図６で説明した条件と同様の条件を満たすように配置される。
【００６３】
ＬＥＤバー２０１、２０２をこのように配置するとき、図１０、１２に見られるように、ＬＥＤバー２０１、２０２は、画面１６０の中央付近で、第１辺１６１及び第２辺１６２と平行な方向に重なり合う。つまり、図面の上下方向に重なり合う。そこで、ＬＥＤバー２０１、２０２を、比較例のＬＥＤバー２００が位置する軸の上下にオフセットさせて配置することで、ＬＥＤバー２００に配置されるＬＥＤと同数のＬＥＤを、画面１６０の中央付近で上下に間隔Ｌ２を設けて配置する。ここで、間隔Ｌ２は間隔Ｌ０と等しいかより大きい。
【００６４】
その結果、画面１６０の中央の輝度が周辺の輝度よりも高い輝度分布を有し、かつ放熱の問題が起こりにくいバックライトを備える液晶ディスプレイ１０を提供することができる。
【００６５】
（実施の形態３）
実施の形態３に係る表示装置について、図１３、１４を基に説明する。
【００６６】
実施の形態３に係る表示装置は、複数のＬＥＤバーを備える比較例と対比されるものであり、実施の形態１で説明したＬＥＤバー２０１、２０２の対を、比較例の前記複数のＬＥＤバーの各々に対応して備えている。
【００６７】
図１３は、比較例に係る２本のＬＥＤバー２００の、画面１６０に垂直な方向から見た配置の一例を示す正面図であり、ＬＥＤバー２００の配置を、液晶ディスプレイ１０の画面１６０への垂直投影によって表している。
【００６８】
図１３の比較例では、図１１の比較例とは異なり、ＬＥＤバー２００が、画面１６０の左辺及び右辺と略平行な軸上に配置されている。
【００６９】
図１４は、実施例に係るＬＥＤバー２０１、２０２の、画面１６０に垂直な方向から見た配置の一例を示す正面図であり、ＬＥＤバー２０１、２０２の配置を、液晶ディスプレイ１０の画面１６０への垂直投影によって表している。
【００７０】
図１４の実施例では、ＬＥＤバー２０１、２０２の対を、比較例の各々のＬＥＤバー２００の位置に対応して配置する。ＬＥＤバー２０１、２０２は、図６で説明した条件と同様の条件を満たすように配置される。
【００７１】
ただし、図１４の実施例では、画面１６０の上辺及び下辺が、第１辺１６１及び第２辺１６２に対応する。
【００７２】
ＬＥＤバー２０１、２０２をこのように配置するとき、図１４に見られるように、ＬＥＤバー２０１、２０２は、画面１６０の中央付近で、第１辺１６１及び第２辺１６２と平行な方向に重なり合う。つまり、図面の左右方向に重なり合う。そこで、ＬＥＤバー２０１、２０２を、比較例のＬＥＤバー２００が位置する軸の左右にオフセットさせて配置することで、ＬＥＤバー２００に配置されるＬＥＤと同数のＬＥＤを、画面１６０の中央付近で左右に間隔Ｌ２を設けて配置する。ここで、間隔Ｌ２は間隔Ｌ０と等しいかより大きい。
【００７３】
その結果、画面１６０の中央の輝度が周辺の輝度よりも高い輝度分布を有し、かつ放熱の問題が起こりにくいバックライトを備える液晶ディスプレイ１０を提供することができる。
【００７４】
以上、本発明の実施の形態に係る表示装置について説明したが、本発明は、この実施の形態に限定されるものではない。本発明の趣旨を逸脱しない限り、当業者が思いつく各種変形を本実施の形態に施した形態は、本発明の範囲内に含まれ得る。
【産業上の利用可能性】
【００７５】
本発明は、画面の中央の輝度が周辺の輝度よりも高い輝度分布を有し、かつ放熱の問題が起こりにくいバックライトを備える表示装置に有用である。
【符号の説明】
【００７６】
１０    液晶ディスプレイ
１１    フロントキャビネット
１２    ベゼル
１３    オープンセル
１４    セルガイド
１５    光学部材
１６    反射部材
１７    リアフレーム
２０    光源
２１    基板
２２    発光素子
１６０    画面
１６１    第１辺
１６２    第２辺
１６３    中心線
２００、２０１、２０２    ＬＥＤバー
２１０、２１１、２１２    基板
２２０、２２１、２２２    ＬＥＤ
【図１】
2015213001.tif 000003
【図２】
2015213001.tif 000004
【図４】
2015213001.tif 000005
【図５】
2015213001.tif 000006
【図６】
2015213001.tif 000007
【図７】
2015213001.tif 000008
【図９】
2015213001.tif 000009
【図１０】
2015213001.tif 000010
【図１１】
2015213001.tif 000011
【図１２】
2015213001.tif 000012
【図１３】
2015213001.tif 000013
【図１４】
2015213001.tif 000014
【図３】
2015213001.tif 000015
【図８】
2015213001.tif 000016